(57)【要約】【課題】背面板の隔壁と前面板の光吸収層の位置ずれが生じても、輝度低下が少なく、かつ光吸収層が外光反射を低減して表示画像のコントラストを改善することができるプラズマディスプレイパネルを提供する。【解決手段】本発明のプラズマディスプレイパネルは、直交する隔壁により形成される複数のセルに蛍光体を充填した背面板と、背面板と対向配置された前面板とを備え、前面板は、映像表示面の短手方向と平行な第１方向の隔壁に各々対応して隔壁の前面板側に並列配置された第１ブラックストライプと、第１方向と直交する第２方向の隔壁に各々対応して隔壁の前面板側に並列配置された第２ブラックストライプと、を有し、第１ブラックストライプは第１方向の隔壁の両側に位置するセル上に、第２ブラックストライプは第２方向の隔壁の両側に位置するセル上に、その一部が交互にはみ出るよう前面板に配置される。【選択図】図１ｂ
2009193945.tif 000002
【特許請求の範囲】
【請求項１】
直交する隔壁により形成される複数のセルを有し、前記セルに蛍光体を充填した背面板と、前記背面板との間に放電空間を形成するよう前記背面板と対向配置された前面板とを備え、放電により前記蛍光体を発光させ表示光を発するプラズマディスプレイパネルであって、
前記前面板は、
映像表示面の短手方向と平行な第１方向の前記隔壁に各々対応して前記隔壁の前記前面板側に並列配置された第１ブラックストライプと、前記第１方向と直交する第２方向の前記隔壁に各々対応して前記隔壁の前記前面板側に並列配置された第２ブラックストライプと、を有し、
前記第１ブラックストライプは、前記第１方向の前記隔壁の両側に位置する前記セル上にその一部が交互にはみ出るよう前記前面板に配置され、前記第２ブラックストライプは、前記第２方向の前記隔壁の両側に位置する前記セル上にその一部が交互にはみ出るよう前記前面板に配置される、プラズマディスプレイパネル。
【請求項２】
前記第１ブラックストライプ各々は、前記第２方向の端部に凹凸形状を有し、前記第２ブラックストライプ各々は、前記第１方向の端部に凹凸形状を有する、請求項１記載のプラズマディスプレイパネル。
【請求項３】
前記第１方向に隣り合う前記第１ブラックストライプ、または／及び前記第２方向に隣り合う前記第２ブラックストライプは、同一形状である、請求項１または請求項２記載のプラズマディスプレイパネル。
【請求項４】
直交する隔壁により形成される複数のセルを有し、前記セルに蛍光体を充填した背面板と、前記背面板との間に放電空間を形成するよう前記背面板と対向配置された前面板とを備え、放電により前記蛍光体を発光させ表示光を発するプラズマディスプレイパネルであって、
前記前面板は、
映像表示面の短手方向と平行な第１方向の前記隔壁に各々対応して前記隔壁の前記前面板側に並列配置された第１ブラックストライプと、前記第１方向と直交する第２方向の前記隔壁に各々対応して前記隔壁の前記前面板側に並列配置された第２ブラックストライプと、を有し、
前記第１ブラックストライプは、前記第１方向の前記隔壁の両側に位置する前記セル上に交互にはみ出る曲線で形成され、前記第２ブラックストライプは、前記第１方向の前記隔壁の両側に位置する前記セル上に交互にはみ出る曲線で形成される、プラズマディスプレイパネル。
【請求項５】
前記曲線は、前記第１ブラックストライプは前記第２方向蛇行し、前記第２ブラックストライプは前記第１方向蛇行している、請求項４記載のプラズマディスプレイパネル。
【発明の詳細な説明】
【技術分野】
【０００１】
本発明は、プラズマディスプレイパネルに関する。
【背景技術】
【０００２】
近年、ＣＲＴディスプレイ装置に代わるフラットディスプレイ装置への期待が高まり、奥行きを抑えた液晶ディスプレイ装置やプラズマディスプレイ装置などが普及している。特に、大画面のフラットディスプレイ装置にはプラズマディスプレイ装置が用いられることも多い。
【０００３】
プラズマディスプレイ装置は、主にプラズマディスプレイパネルと前面フィルタから構成されている。プラズマディスプレイパネルは、ガス放電により発生した紫外線で蛍光体を励起することにより可視光を発生させる表示デバイスであり、放電空間を区画した放電セル毎に発光を制御することにより画像を形成する。
【０００４】
例えば、マトリックス表示方式のプラズマディスプレイパネルでは、複数の電極（表示電極およびアドレス電極）が格子状に配列され、各電極の交差部となる放電セルを選択的に発光させることにより画像を形成する。
【０００５】
各放電セルの発光原理は以下の通りである。すなわち、点灯すべき放電セルの対向電極間に数十ｋＨｚから数百ｋＨｚのパルス状ＡＣ電圧を印加すると、壁電荷が蓄積されて表示放電が起こり、放電セル内に封入された放電ガスの成分であるＸｅから紫外線が放射される。放射された紫外線は、放電セル内に形成された赤、青、緑の蛍光体を励起して各々の色の可視光を発生させる。ここで、３色の放電セル１組を１画素とし、各色の発光強度を例えば２５６段階に制御することにより１６７０万色のフルカラー表示が可能である。
【０００６】
このように、プラズマディスプレイパネルの発光は放電現象を利用しているので応答速度も速く、ＣＲＴと同様に蛍光体を使用するために色再現性も良いことから、テレビ映像などの動画表示に適している。また、プラズマディスプレイパネルはその構造上、比較的容易に大画面を実現することができ、自発光で視野角依存性も無く、暗室におけるコントラストの高い優れた映像表示能力を有しているので、大画面ＴＶ受像機として需要を急速に拡大しつつある。
【０００７】
しかしながら、プラズマディスプレイパネルの各放電セル内には反射率の高い蛍光体が形成されているので、暗い環境下では高いコントラストを実現できるが、明るい環境下では外光反射が大きく、コントラストが低下しやすいという問題がある。そのため、明るい環境下でも高いコントラストを維持することのできるプラズマディスプレイパネルが要望されている。
【０００８】
このような要望に対して、例えば、放電空間を区画する背面板の隔壁と重なるようにストライプ状の光吸収層としてブラックマトリックスを前面板に配置して、外部からプラズマディスプレイパネルに到達し、プラズマディスプレイパネル内部で反射する光を減衰させて、コントラストを良好にする技術（特許文献１）が提案されている。
【特許文献１】特開２００７−１３４２６４号公報
【発明の開示】
【発明が解決しようとする課題】
【０００９】
しかしながら、上述した構成においては、プラズマディスプレイパネルの製造工程において、前面板と背面板を貼り合せる時にそれぞれの基板の寸法がわずかに異なり、ブラックマトリックスに位置ずれが生じる。この位置ずれは、前面板のブラックマトリックスが背面板の隔壁の真上に配置されないで、ブラックマトリックスが発光部上に入り込むという状態である。この状態で、プラズマディスプレイを発光させると、ブラックマトリックスが発光部からの光を遮るため、輝度が低下するという問題があった。
【００１０】
そこで本発明の目的は、かかる点に鑑みてなされたものであり、背面板の隔壁と前面板の光吸収層の位置ずれが生じても、輝度低下が少なく、かつ光吸収層が外光反射を低減して表示画像のコントラストを改善することができるプラズマディスプレイパネルを提供することを目的とする。
【課題を解決するための手段】
【００１１】
本発明のプラズマディスプレイパネルは、直交する隔壁により形成される複数のセルを有し、前記セルに蛍光体を充填した背面板と、前記背面板との間に放電空間を形成するよう前記背面板と対向配置された前面板とを備え、放電により前記蛍光体を発光させ表示光を発するプラズマディスプレイパネルであって、前記前面板は、映像表示面の短手方向と平行な第１方向の前記隔壁に各々対応して前記隔壁の前記前面板側に並列配置された第１ブラックストライプと、前記第１方向と直交する第２方向の前記隔壁に各々対応して前記隔壁の前記前面板側に並列配置された第２ブラックストライプと、を有し、前記第１ブラックストライプは、前記第１方向の前記隔壁の両側に位置する前記セル上にその一部が交互にはみ出るよう前記前面板に配置され、前記第２ブラックストライプは、前記第２方向の前記隔壁の両側に位置する前記セル上にその一部が交互にはみ出るよう前記前面板に配置される、構成を採る。
【００１２】
また、本発明のプラズマディスプレイパネルは、直交する隔壁により形成される複数のセルを有し、前記セルに蛍光体を充填した背面板と、前記背面板との間に放電空間を形成するよう前記背面板と対向配置された前面板とを備え、放電により前記蛍光体を発光させ表示光を発するプラズマディスプレイパネルであって、前記前面板は、映像表示面の短手方向と平行な第１方向の前記隔壁に各々対応して前記隔壁の前記前面板側に並列配置された第１ブラックストライプと、前記第１方向と直交する第２方向の前記隔壁に各々対応して前記隔壁の前記前面板側に並列配置された第２ブラックストライプと、を有し、前記第１ブラックストライプは、前記第１方向の前記隔壁の両側に位置する前記セル上に交互にはみ出る曲線で形成され、前記第２ブラックストライプは、前記第１方向の前記隔壁の両側に位置する前記セル上に交互にはみ出る曲線で形成される、構成を採る。
【発明の効果】
【００１３】
このように、本発明によれば、背面板の隔壁と前面板の光吸収層の位置ずれが生じても、輝度低下が少なく、かつ光吸収層が外光反射を低減して表示画像のコントラストを改善することができるプラズマディスプレイパネルを提供することができる。
【発明を実施するための最良の形態】
【００１４】
（実施の形態１）
図１ａは、本発明の実施の形態１に係るプラズマディスプレイパネルの構成を示す斜視図である。図１ｂは、図１ａのプラズマディスプレイパネルから前面基板１６を省略したプラズマディスプレイパネルの斜視図である。
【００１５】
図１ａにおいて、プラズマディスプレイパネル１は、外光反射を低減させる光吸収層としてのブラックマトリックスが配置されている前面板１０と、前面板１０と対向配置されている背面板２０とから構成されている。
【００１６】
前面板１０は、背面板２０との間に放電空間を形成するよう背面板２０と対向配置されている。
【００１７】
背面板２０は、直交する隔壁により形成される複数の放電セルを有し、放電セルに蛍光体が充填されている。
【００１８】
プラズマディスプレイパネル１は、前面板１０と背面板２０間の放電空間への放電により背面板２０の蛍光体を発光させて表示光を発する。
【００１９】
前面板１０は、例えば、保護層１１と、誘電体層１２と、縦ブラックストライプ１３と、横ブラックストライプ１４と、透明電極１５と、ガラス基板からなる前面基板１６と、対向電極１７とを有する。なお、ブラックマトリックスは、縦ブラックストライプ１３と、縦ブラックストライプ１４とで形成される。
【００２０】
図２は、図１のＡ部の拡大図を示す。対向電極１７は、導電性の黒色層１７ａと金属電極層１７ｂとからなる２層構造である。金属電極層１７ｂは、放電空間側を例えば銀等の導電性の高い金属材料から形成されている。これにより、対向電極１７の導電性を高めるとともに、光を反射しやすい金属電極層１７ｂが表示面側から見えないようにしている。
【００２１】
より詳細には、前面基板１６上に黒色材料によって、縦ブラックストライプ１３と、横ブラックストライプ１４とを形成した後、透明電極１５を形成し、対向電極１７の黒色層１７ａを形成する。対向電極１７の黒色層１７ａは、透明電極１５と金属電極層１７ｂの間に配置されるようにして形成する。
【００２２】
縦ブラックストライプ１３と、横ブラックストライプ１４と、黒色層１７ａとは、それぞれ、例えば以下のようにして形成することができる。まず、感光性の黒色材料からなる黒色ペーストをスクリーン印刷法等により成膜する。次に、所望のパターンを有するフォトマスクを介して紫外光を照射して光吸収層のパターンを形成する。最後に、６００℃程度の温度で焼成してペースト中の有機成分を除去する。この場合、縦ブラックストライプ１３と、横ブラックストライプ１４とは、非導電性の材料を用い、黒色層１７ａは導電性の材料を用いる。
【００２３】
そして、それら透明電極１５と、縦ブラックストライプ１３と、横ブラックストライプ１４と、黒色層１７ａと、金属電極層１７ｂとを覆うように誘電体層１２を設け、さらにその上を覆うように保護層１１を設ける。誘電体層１２は、低融点ガラス等の粉体とバインダー成分としてのエチルセルロース樹脂と、溶剤とを混練して所定粘度としたペーストとを、印刷法または塗布法等で、膜厚０．０３ 〜 ０．０４ｍｍに塗布し乾燥させてから、焼成することによって形成する。保護層１１は、ＭｇＯを蒸着法やスパッタリング法によって３００〜５００ｎｍの厚さに形成している。
【００２４】
背面板２０は、背面基板２１と、誘電体層２２と、アドレス電極２３と、蛍光体層２４と、隔壁２５とを有する。
【００２５】
より詳細には、例えば、背面板２０は、まず、ガラス基板である背面基板２１上に銀等の導電性の高い金属材料からなるアドレス電極２３を形成し、その上に誘電体ガラスからなる誘電体層２２を形成する。次に、その上に低融点ガラスやフィラー等が混合された絶縁材料からなる隔壁２５をアドレス電極２３と平行に延びる縦隔壁２５ａと縦隔壁２５ａに交差する横隔壁２５ｂとによって格子状に形成する。隔壁２５によって区画された各放電セル内には、赤色（Ｒ）、緑色（Ｇ）、青色（Ｂ）の各色に発光する蛍光体ペーストを放電セル内の底面および壁面に配設して蛍光体層を形成する。その後、背面板２０の周囲に前面板１０との封着用ガラスフリットを塗布し、ガラスフリット内の樹脂成分等を除去するために３５０ ℃ 程度で焼成してフリット形成を行う。
【００２６】
なお、対向電極１７の金属電極層１７ｂおよびアドレス電極２３については、例えば、銀を主成分とする金属材料等の導電性材料に、感光性材料を含有させた材料を基板全面に塗布し、これを電極パターンを備えたフォトマスクにより露光し、その後、それを現像するフォトリソグラフィ法によってパターニングすることで、所定の位置に所定の形状で形成することができる。また、蛍光体層の形成方法には、スクリーン印刷によって形成するスクリーン法、蛍光体シートをラミネートし、フォト工程によって所定パターンを形成するフォト法、微細なノズルから蛍光体インクを垂らして塗布するインクジェット法等がある。
【００２７】
ここで、縦ブラックストライプ１３は、縦隔壁２５ａの真上に配置されることが望ましい。また、横ブラックストライプ１４は、横隔壁２５ｂの真上に配置されることが望ましい。しかし、上述のように、前面板１０と背面板２０を貼り合せる時にそれぞれの基板の寸法がわずかに異なり、ブラックマトリックスの位置ずれが生じる。
【００２８】
通常、ブラックマトリックスの縦ブラックストライプおよび横ブラックストライプは、それぞれ縦隔壁２５ａの幅および横隔壁２５ｂの幅に合わせた均等な幅を有するストライプから構成される。そのため、長手方向または短手方向に前面板１０の位置ずれが生じると、位置ずれが生じた分だけ蛍光体層２４が塗布された発光部を覆う。
【００２９】
本実施の形態では、ブラックマトリックスの形状を工夫して、ブラックマトリックスの位置ずれが生じても、輝度低下を少なく、かつ光吸収層が外光反射を低減して表示画像のコントラストを改善することができるプラズマディスプレイパネルを提供する。
【００３０】
次に、縦ブラックストライプ１３が、長手方向にずれる場合の作用・効果について説明する。なお、横ブラックストライプ１４が縦方にずれる場合の作用・効果は、縦ブラックストライプ１３と同じ原理による。
【００３１】
図１ｂでは、背面板２０の縦隔壁２５ａと、縦ブラックストライプ１３の位置関係が示される。なお、蛍光体層２４が塗布される放電セルとの関係を分かりやすくするために、前面板１０の透明電極１５と、対向電極１７とを合わせて図示する。図３は、背面板２０の横隔壁２５ｂと、前面板１０の透明電極１５と、対向電極１７と、縦ブラックストライプ１３との位置関係を示した正面概略図である。なお、縦隔壁２５ａは、縦ブラックストライプ１３の下に配置されている。
【００３２】
前面板１０は、映像表示面の短手方向と平行な第１方向の隔壁に各々対応して隔壁の前面板側に並列配置された第１ブラックストライプを有する。具体的には、前面板１０は、第１方向の縦隔壁２５ａに各々対応して並列配置された短手方向の縦ブラックストライプ１３を有する。ここで、第１方向は、映像表示面の短手方向であり、第１ブラックストライプは、縦ブラックストライプ１３に相当する。なお、前面板１０の短手方向と、映像表示面の短手方向とは一致し、前面板１０の長手方向と、映像表示面の長手方向とは一致する。
【００３３】
さらに、第１ブラックストライプ各々は、第１方向の隔壁の両側に位置するセル上にその一部が交互にはみ出るよう前面板１０に配置される。具体的には、各々の縦ブラックストライプ１３は、短手方向の縦隔壁２５ａから放電セル上にその一部が交互にはみ出るよう前面板１０に配置されている。なお、縦ブラックストライプ１３がはみ出る範囲は、輝度低下が少なく、かつ光吸収層が外光反射を低減するために、１つの放電セルに対応する縦隔壁２５ａの左右方向にそれぞれ均等に配置されていることが望ましい。
【００３４】
また、第１ブラックストライプ各々は、第１方向と直交する第２方向の端部に凹凸形状を有する。具体的には、縦ブラックストライプ１３の一部が長手方向に交互にはみ出ることにより、縦ブラックストライプ１３各々は、短手方向と直行する長手方向に交互に凹凸形状を有する。ここで、第２方向は、長手方向である。また、縦ブラッストライプ１３の一部が長手方向に交互にはみ出ることにより、各々の縦ブラックストライプ１３は、長手方向端部に凹凸形状を有する。
【００３５】
また、各々の縦ブラックストライプ１３の長手方向の一方の端部の凸部と、他方の端部の凸部とは、同一の形状である。同一の形状とすることにより、発光される表示光は、放電セル毎に均一なる。
【００３６】
また、長手方向に隣り合う縦ブラックストライプ１３は、同一形状である。同一の形状とすることにより、画面全体の表示光は、均一に発光される。
【００３７】
ここで、短手方向とは、縦隔壁２５ａの長さ方向であり、長手方向とは、横隔壁２５ｂの長さ方向である。また、構成要素としての縦ブラックストライプ１３は、例えば、図１ｂおよび図３に示す長方形などの矩形からなる。ここで、この縦ブラックストライプ１３のずれ量（はみ出し量）を、例えば、縦隔壁２５ａの幅の１／４にする。なお、構成要素としての縦ブラックストライプ１３の形状は、矩形に限らず、円形、楕円形、多角形でもよい。
【００３８】
本実施の形態では、縦隔壁２５ａの真上に縦ブラックストライプ１３が配置された状態で、ずれ量分の縦ブラックストライプ１３が発光部に入り込んでいるとする。ここで、１つの放電セルの縦隔壁２５ａの上面に相当する縦ブラックストライプ１３の面積を面積８Ａとし、発光部に入り込んでいるずれ量分の面積を面積Ａとする。この状態を初期状態とすると、例えば、前面板１０の配置が左方向に隔壁２５の幅の１／４ずれた場合に、放電セルの右側では発光部に入り込む縦ブラックストライプ１３の面積は、面積２Ａ分増加する。しかし、放電セルの左側では発光部から退くため、縦ブラックストライプ１３の面積は、面積Ａ分減少する。これにより、実質的には、放電セルの発光部に入り込む縦ブラックストライプ１３の面積は面積Ａ分だけ増加する。
【００３９】
従来のストレートタイプのブラックマトリックスを短手方向に同じ長さで配置した場合では、面積２Ａ分増加するのに比べて、本実施の形態では、面積Ａ分だけ増加する。そのため、本実施の形態では、背面板の隔壁と前面板の光吸収層の位置ずれが生じても、輝度低下が少なくなる。
【００４０】
また、例えば、前面板１０の配置が左方向に隔壁２５の幅の１／４ずれた場合に、放電セルの右側および左側では縦隔壁２５が露出される面積は、それぞれ面積Ａ分増加する。
【００４１】
従来のストレートタイプのブラックマトリックスを短手方向に同じ長さで配置した場合では、放電セルの右側および左側で、面積４Ａ分増加するのに比べて、本実施の形態では、面積２Ａ分だけ増加する。そのため、本実施の形態では、背面板の隔壁と前面板の光吸収層の位置ずれが生じても、光吸収層が外光反射を低減して表示画像のコントラストを改善することができる。
【００４２】
また、前面板１０は、映像表示面の長手方向と平行な第２方向の前記隔壁に各々対応して前記隔壁の前記前面板側に並列配置された第２ブラックストライプを有する。具体的には、前面板１０は、第２方向の横隔壁２５ｂに各々対応して並列配置された長手方向の横ブラックストライプ１４を有する。ここで、第２方向は、映像表示面の長手方向であり、第２ブラックストライプは、横ブラックストライプ１４に相当する。なお、前面板１０の短手方向と、映像表示面の短手方向とは一致し、前面板１０の長手方向と、映像表示面の長手方向とは一致する。
【００４３】
さらに、第２ブラックストライプ各々は、第２方向の隔壁の両側に位置するセル上にその一部が交互にはみ出るよう前面板に配置される。具体的には、各々の横ブラックストライプ１４は、長手方向の横隔壁２５ｂから放電セル上にその一部が短手方向に交互にはみ出るよう前面板１０に配置されている。なお、横ブラックストライプ１４がはみ出る範囲は、輝度低下が少なく、かつ光吸収層が外光反射を低減するために、１つの放電セルに対応する横隔壁２５ｂの上下方向にそれぞれ均等に配置されていることが望ましい。
【００４４】
また、第２ブラックストライプ各々は、第２方向と直交する第１方向の端部に凹凸形状を有する。具体的には、横ブラックストライプ１４の一部が短手方向に交互にはみ出ることにより、各々の横ブラックストライプ１４は、長手方向と直交する短手方向に交互に凹凸形状を有する。ここで、第２方向は、長手方向である。また、横ブラッストライプ１４の一部が短手方向に交互にはみ出ることにより、横ブラックストライプ１４各々は、長手方向端部に凹凸形状を有する。
【００４５】
また、横ブラックストライプ１４各々の長手方向の一方の端部の凸部と、他方の端部の凸部とは、同一の形状である。同一の形状とすることにより、発光される表示光は、放電セル毎に均一なる。
【００４６】
また、短手方向に隣り合う横ブラックストライプ１４は、同一形状である。同一の形状とすることにより、画面全体の表示光は、均一に発光される。
【００４７】
ここで、短手方向とは、縦隔壁２５ａの長さ方向であり、長手方向とは、横隔壁２５ｂの長さ方向である。また、構成要素としての横ブラックストライプ１４は、例えば、図１ｂおよび図３に示す長方形などの矩形からなる。ここで、この横ブラックストライプ１４のずれ量を、例えば、横隔壁２５ｂの幅の１／４にする。なお、構成要素としての横ブラックストライプ１４の形状は、矩形に限らず、円形、楕円形、多角形でもよい。
【００４８】
本実施の形態では、横隔壁２５ｂの真上に横ブラックストライプ１４が配置された状態で、ずれ量分の横ブラックストライプ１４が発光部に入り込んでいるとする。ここで、例えば、前面板１０の配置が下方向に隔壁２５の幅の１／４ずれた場合に、放電セルの上側では、横ブラックストライプ１４が発光部に入り込む。しかし、放電セルの下側では発光部から横ブラックストライプ１４が退くため、横ブラックストライプ１４の面積は、従来のストレートタイプのブラックマトリックスを長手方向に同じ長さで配置した場合と比べて、発光部に入り込む横ブラックストライプ１４の面積が減少する。そのため、本実施の形態では、背面板の隔壁と前面板の光吸収層の位置ずれが生じても、輝度低下が少なくなる。
【００４９】
また、例えば、前面板１０の配置が下方向に隔壁２５の幅の１／４ずれた場合に、放電セルの上側および下側で、横隔壁２５ｂの一部が露出される。そのため、放電セルの上側および下側では縦隔壁２５ａが露出される面積は、従来のストレートタイプのブラックマトリックスを短手方向に同じ長さで配置した場合と比べて、縦隔壁２５ａが露出される面積は減少する。そのため、本実施の形態では、背面板の隔壁と前面板の光吸収層の位置ずれが生じても、光吸収層が外光反射を低減して表示画像のコントラストを改善することができる。
【００５０】
上述した前面板１０と背面板２０とは、対向電極１７とアドレス電極２３とが直交するように、かつ縦隔壁２５ａ上に縦ブラックストライプ１３が配置され、横隔壁２５ｂ上に横ブラックストライプ１４が配置されるようにして、微小な放電空間を挟んで対向配置されている。そして、その外周部がガラスフリット（図示せず）と呼ばれる封着材によって気密封着されている。
【００５１】
このように構成されたプラズマディスプレイパネル１において、放電セルの一対の対向電極１７にパルス状ＡＣ電圧が印加されると、表示放電が起こり、紫外線が発生する。発生した紫外線は、背面板に形成された蛍光体層２４の蛍光体を励起して可視光（表示光）を発生させ、映像光として観察者側に出射する。
【００５２】
このように、本実施の形態のプラズマディスプレイパネルによれば、背面板の隔壁と前面板の光吸収層の位置ずれが生じても、縦ブラックストライプが、短手方向の縦隔壁からセル上にその一部が長手方向に交互にはみ出るよう前面板に配置され、横ブラックストライプが、長手方向の隔壁からセル上にその一部が短手方向に交互にはみ出るよう前記前面板に配置されるため、輝度低下が少なく、かつ光吸収層が外光反射を低減して表示画像のコントラストを改善することができるプラズマディスプレイパネルを提供することができる。
【００５３】
（実施の形態２）
次に、本発明の実施の形態２について説明する。図４は、本発明の実施の形態２に係るプラズマディスプレイパネルの構成を示す斜視図である。なお、図４において、図１ａと同じ構成要素については同じ符号を付し、説明を省略する。
【００５４】
図４において、プラズマディスプレイパネル１ａは、外光反射を低減させる光吸収層としてのブラックマトリックスが配置されている前面板１０ａと、前面板１０ａと対向配置されている背面板２０とから構成されている。
【００５５】
前面板１０ａは、背面板２０との間に放電空間を形成するよう背面板２０と対向配置されている。
【００５６】
背面板２０は、直交する隔壁により形成される複数の放電セルを有し、放電セルに蛍光体が充填されている。
【００５７】
プラズマディスプレイパネル１ａは、前面板１０ａと背面板２０間の放電空間への放電により背面板２０の蛍光体を発光させて表示光を発する。
【００５８】
前面板１０ａは、例えば、保護層１１と、誘電体層１２と、縦ブラックストライプ３３と、横ブラックストライプ１４と、透明電極１５と、ガラス基板からなる前面基板１６と、対向電極１７とを有する。なお、ブラックマトリックスは、縦ブラックストライプ３３と、横ブラックストライプ１４とで形成される。
【００５９】
図５は、図４のＢ部の拡大図を示す。対向電極１７は、導電性の黒色層１７ａと金属電極層１７ｂとからなる２層構造である。金属電極層１７ｂは、放電空間側を例えば銀等の導電性の高い金属材料から形成されている。これにより、対向電極１７の導電性を高めるとともに、光を反射しやすい金属電極層１７ｂが表示面側から見えないようにしている。
【００６０】
より詳細には、前面基板１６上に透明電極１５を形成した後、黒色材料によって縦ブラックストライプ３３と、横ブラックストライプ１４と、対向電極１７の黒色層１７ａとを形成する。対向電極１７の黒色層１７ａは、透明電極１５と金属電極層１７ｂの間に配置されるようにして形成する。
【００６１】
縦ブラックストライプ３３と、横ブラックストライプ１４と、黒色層１７ａとは、それぞれ、例えば以下のようにして形成することができる。まず、感光性の黒色材料からなる黒色ペーストをスクリーン印刷法等により成膜する。次に、所望のパターンを有するフォトマスクを介して紫外光を照射して光吸収層のパターンを形成する。最後に、６００℃程度の温度で焼成してペースト中の有機成分を除去する。この場合、縦ブラックストライプ３３と、横ブラックストライプ１４と、黒色層１７ａとは、同じ導電性のある材料を用いる。なお、縦ブラックストライプ３３と横ブラックストライプ１４とは非導電性の材料を用い、黒色層１７ａは導電性の材料を用いてもよい。
【００６２】
そして、それら透明電極１５と、縦ブラックストライプ３３と、横ブラックストライプ１４と、黒色層１７ａと、金属電極層１７ｂとを覆うように誘電体層１２を設け、さらにその上を覆うように保護層１１を設ける。
【００６３】
ここで、縦ブラックストライプ３３は、縦隔壁２５ａの真上に配置されることが望ましい。また、横ブラックストライプ１４は、横隔壁２５ｂの真上に配置されることが望ましい。しかし、上述のように、前面板１０ａと背面板２０を貼り合せる時にそれぞれの基板の寸法がわずかに異なり、ブラックマトリックスの位置ずれが生じる。
【００６４】
通常、ブラックマトリックスの縦ブラックストライプおよび横ブラックストライプは、それぞれ縦隔壁２５ａの幅および横隔壁２５ｂの幅に合わせた均等な幅を有するストライプから構成される。そのため、長手方向または短手方向に前面板１０ａの位置ずれが生じると、位置ずれが生じた分だけ蛍光体層２４が塗布された発光部を覆う。
【００６５】
本実施の形態では、ブラックマトリックスの形状を工夫して、ブラックマトリックスの位置ずれが生じても、輝度低下を少なく、かつ光吸収層が外光反射を低減して表示画像のコントラストを改善することができるプラズマディスプレイパネルを提供する。
【００６６】
次に、縦ブラックストライプ３３が、長手方向にずれる場合の作用・効果について説明する。なお、横ブラックストライプ１４が縦方にずれる場合の作用・効果は、縦ブラックストライプ３３と同じ原理による。
【００６７】
図６は、背面板２０の縦隔壁２５ａと、前面板１０ａの透明電極１５と、対向電極１７と、縦ブラックストライプ３３と、横ブラックストライプ１４との位置関係を示した正面概略図である。なお、横隔壁２５ｂは、横ブラックストライプ１４の下に配置されている。
【００６８】
前面板１０ａは、映像表示面の短手方向と平行な第１方向の隔壁に各々対応して隔壁の前面板側に並列配置された第１ブラックストライプを有する。具体的には、前面板１０ａは、短手方向の縦隔壁２５ａに各々対応して並列配置された短手方向の縦ブラックストライプ３３を有する。ここで、第１方向は、映像表示面の短手方向であり、第１ブラックストライプは、縦ブラックストライプ３３に相当する。なお、前面板１０ａの短手方向と、映像表示面の短手方向とは一致し、前面板１０ａの長手方向と、映像表示面の長手方向とは一致する。
【００６９】
さらに、第１ブラックストライプ各々は、第１方向の隔壁の両側に位置するセル上にその一部が交互にはみ出るよう前面板１０ａに配置される。具体的には、各々の縦ブラックストライプ３３は、短手方向の縦隔壁２５ａから放電セル上にその一部が交互にはみ出るよう前面板１０ａに配置されている。なお、縦ブラックストライプ３３がはみ出る範囲は、輝度低下が少なく、かつ光吸収層が外光反射を低減するために、１つの放電セルに対応する縦隔壁２５ａの左右方向にそれぞれ均等に配置されていることが望ましい。
【００７０】
また、第１ブラックストライプ各々は、第１方向と直交する第２方向の端部に凹凸形状を有する。具体的には、縦ブラックストライプ３３の一部が長手方向に交互にはみ出ることにより、縦ブラックストライプ３３各々は、短手方向と直行する長手方向に交互に凹凸形状を有する。ここで、第２方向は、長手方向である。また、縦ブラッストライプ３３の一部が長手方向に交互にはみ出ることにより、各々の縦ブラックストライプ３３は、長手方向端部に凹凸形状を有する。
【００７１】
また、各々の縦ブラックストライプ３３の長手方向の一方の端部の凸部と、他方の端部の凸部とは、同一の形状である。同一の形状とすることにより、発光される表示光は、放電セル毎に均一なる。
【００７２】
また、長手方向に隣り合う縦ブラックストライプ３３は、同一形状である。同一の形状とすることにより、画面全体の表示光は、均一に発光される。
【００７３】
ここで、短手方向とは、縦隔壁２５ａの長さ方向であり、長手方向とは、横隔壁２５ｂの長さ方向である。また、構成要素としての縦ブラックストライプ３３は、例えば、図６に示す長方形または正方形などの矩形からなる。ここで、この縦ブラックストライプ３３のずれ量（はみ出し量）を、例えば、縦隔壁２５ａの幅の１／４にする。なお、構成要素としての縦ブラックストライプ３３の形状は、矩形に限らず、円形、楕円形、多角形でもよい。
【００７４】
本実施の形態において、縦ブラックストライプ３３は、分割されて形成されている。分割されている理由は、縦ブラックストライプ３３は、導電性を有するため、対向電極１７どうしの短絡を防止するために、電極に接するブラックストライプは、隣のブラックストライプと繋がらないようにギャップを設けるためである。
【００７５】
本実施の形態では、縦隔壁２５ａの真上に縦ブラックストライプ３３が配置された状態で、ずれ量分の縦ブラックストライプ３３が発光部に入り込んでいるとする。ここで、１つの放電セルの縦隔壁２５ａの上面に相当する縦ブラックストライプ３３の面積を面積８Ａとし、発光部に入り込んでいるずれ量分の面積を面積Ａとする、この状態を初期状態とすると、例えば、前面板１０ａの配置が左方向に隔壁２５の幅の１／４ずれた場合に、放電セルの右側では発光部に入り込む縦ブラックストライプ３３の面積は、面積２Ａ分増加する。しかし、放電セルの左側では発光部から退くため、縦ブラックストライプ３３の面積は、面積Ａ分減少する。これにより、実質的には、放電セルの発光部に入り込む縦ブラックストライプ３３の面積は面積Ａ分だけ増加する。
【００７６】
従来のストレートタイプのブラックマトリックスを短手方向に同じ長さで配置した場合では、長手方向に面積２Ａ分増加するのに比べて、本実施の形態では、面積Ａ分だけ増加する。そのため、本実施の形態では、背面板の隔壁と前面板の光吸収層の位置ずれが生じても、輝度低下が少なくなる。
【００７７】
また、例えば、前面板１０ａの配置が左方向に隔壁２５の幅の１／４ずれた場合に、放電セルの右側および左側では縦隔壁２５ａが露出される面積は、それぞれ面積Ａ分増加する。
【００７８】
従来のストレートタイプのブラックマトリックスを短手方向に同じ長さで配置した場合では、放電セルの右側および左側で、面積４Ａ分増加するのに比べて、本実施の形態では、面積２Ａ分だけ増加する。そのため、本実施の形態では、背面板の隔壁と前面板の光吸収層の位置ずれが生じても、光吸収層が外光反射を低減して表示画像のコントラストを改善することができる。
【００７９】
また、前面板１０ａは、映像表示面の長手方向と平行な第２方向の前記隔壁に各々対応して前記隔壁の前記前面板側に並列配置された第２ブラックストライプを有する。具体的には、前面板１０ａは、第２方向の横隔壁２５ｂに各々対応して並列配置された長手方向の横ブラックストライプ１４を有する。ここで、第２方向は、映像表示面の長手方向であり、第２ブラックストライプは、横ブラックストライプ１４に相当する。なお、前面板１０の短手方向と、映像表示面の短手方向とは一致し、前面板１０の長手方向と、映像表示面の長手方向とは一致する。
【００８０】
さらに、第２ブラックストライプ各々は、第２方向の隔壁の両側に位置するセル上にその一部が交互にはみ出るよう前面板に配置される。具体的には、各々の横ブラックストライプ１４は、長手方向の横隔壁２５ｂから放電セル上にその一部が短手方向に交互にはみ出るよう前面板１０ａに配置されている。なお、横ブラックストライプ１４がはみ出る範囲は、輝度低下が少なく、かつ光吸収層が外光反射を低減するために、１つの放電セルに対応する横隔壁２５ｂの上下方向にそれぞれ均等に配置されていることが望ましい。
【００８１】
また、第２ブラックストライプ各々は、第２方向と直交する第１方向の端部に凹凸形状を有する。具体的には、横ブラックストライプ１４の一部が短手方向に交互にはみ出ることにより、各々の横ブラックストライプ１４は、長手方向と直交する短手方向に交互に凹凸形状を有する。ここで、第２方向は、長手方向である。また、横ブラッストライプ１４の一部が短手方向に交互にはみ出ることにより、横ブラックストライプ１４各々は、長手方向端部に凹凸形状を有する。
【００８２】
また、各々の横ブラックストライプ１４の長手方向の一方の端部の凸部と、他方の端部の凸部とは、同一の形状である。同一の形状とすることにより、発光される表示光は、放電セル毎に均一なる。
【００８３】
また、短手方向に隣り合う横ブラックストライプ１４は、同一形状である。同一の形状とすることにより、画面全体の表示光は、均一に発光される。
【００８４】
ここで、短手方向とは、縦隔壁２５ａの長さ方向であり、長手方向とは、横隔壁２５ｂの長さ方向である。また、構成要素としての横ブラックストライプ１４は、例えば、図６に示す長方形などの矩形からなる。ここで、この横ブラックストライプ１４のずれ量（はみ出し量）を、例えば、横隔壁２５ｂの幅の１／４にする。なお、構成要素としての横ブラックストライプ１４の形状は、矩形に限らず、円形、楕円形、多角形でもよい。
【００８５】
本実施の形態では、横隔壁２５ｂの真上に横ブラックストライプ１４が配置された状態で、ずれ量分の横ブラックストライプ１４が発光部に入り込んでいるとする。ここで、例えば、前面板１０の配置が下方向に隔壁２５の幅の１／４ずれた場合に、放電セルの上側では、横ブラックストライプ１４が発光部に入り込む。しかし、放電セルの下側では発光部から横ブラックストライプ１４が退くため、横ブラックストライプ１４の面積は、従来のストレートタイプのブラックマトリックスを長手方向に同じ長さで配置した場合と比べて、発光部に入り込む横ブラックストライプ１４の面積が減少する。そのため、本実施の形態では、背面板の隔壁と前面板の光吸収層の位置ずれが生じても、輝度低下が少なくなる。
【００８６】
また、例えば、前面板１０ａの配置が下方向に隔壁２５の幅の１／４ずれた場合に、放電セルの上側および下側で、横隔壁２５ｂの一部が露出される。そのため、放電セルの上側および下側では縦隔壁２５ａが露出される面積は、従来のストレートタイプのブラックマトリックスを短手方向に同じ長さで配置した場合と比べて、縦隔壁２５ａが露出される面積は減少する。そのため、本実施の形態では、背面板の隔壁と前面板の光吸収層の位置ずれが生じても、光吸収層が外光反射を低減して表示画像のコントラストを改善することができる。
【００８７】
上述した前面板１０ａと背面板２０とは、対向電極１７とアドレス電極２３とが直交するように、かつ縦隔壁２５ａ上に縦ブラックストライプ３３が配置され、横隔壁２５ｂ上に横ブラックストライプ１４が配置されるようにして、微小な放電空間を挟んで対向配置されている。そして、その外周部がガラスフリット（図示せず）と呼ばれる封着材によって気密封着されている。
【００８８】
このように構成されたプラズマディスプレイパネル１ａにおいて、放電セルの一対の対向電極１７にパルス状ＡＣ電圧が印加されると、表示放電が起こり、紫外線が発生する。発生した紫外線は、背面板に形成された蛍光体層２４の蛍光体を励起して可視光（表示光）を発生させ、映像光として観察者側に出射する。
【００８９】
このように、本実施の形態のプラズマディスプレイパネルによれば、背面板の隔壁と前面板の光吸収層の位置ずれが生じても、縦ブラックストライプが、短手方向の縦隔壁からセル上にその一部が長手方向に交互にはみ出るよう前面板に配置され、横ブラックストライプが、長手方向の隔壁からセル上にその一部が短手方向に交互にはみ出るよう前記前面板に配置されるため、輝度低下が少なく、かつ光吸収層が外光反射を低減して表示画像のコントラストを改善することができるプラズマディスプレイパネルを提供することができる。
【００９０】
（実施の形態３）
次に、本発明の実施の形態３について説明する。図７は、本発明の実施の形態３に係るプラズマディスプレイパネルの構成を示す斜視図である。なお、図７において、図１ａと同じ構成要素については同じ符号を付し、説明を省略する。
【００９１】
図７において、プラズマディスプレイパネル１ｂは、外光反射を低減させる光吸収層としてのブラックマトリックスが配置されている前面板１０ｂと、前面板１０ｂと対向配置されている背面板２０とから構成されている。
【００９２】
前面板１０ｂは、背面板２０との間に放電空間を形成するよう背面板２０と対向配置されている。
【００９３】
背面板２０は、直交する隔壁により形成される複数の放電セルを有し、放電セルに蛍光体が充填されている。
【００９４】
プラズマディスプレイパネル１ｂは、前面板１０ｂと背面板２０間の放電空間への放電により背面板２０の蛍光体を発光させて表示光を発する。
【００９５】
前面板１０ｂは、例えば、保護層１１と、誘電体層１２と、縦ブラックストライプ４３と、横ブラックストライプ４４と、透明電極１５と、ガラス基板からなる前面基板１６と、対向電極１７とを有する。なお、ブラックマトリックスは、縦ブラックストライプ４３と、横ブラックストライプ４４とで形成される。
【００９６】
図８は、図７のＣ部の拡大図を示す。対向電極１７は、導電性の黒色層１７ａと金属電極層１７ｂとからなる２層構造である。金属電極層１７ｂは、放電空間側を例えば銀等の導電性の高い金属材料から形成されている。これにより、対向電極１７の導電性を高めるとともに、光を反射しやすい金属電極層１７ｂが表示面側から見えないようにしている。
【００９７】
より詳細には、前面基板１６上に透明電極１５を形成した後、黒色材料によって縦ブラックストライプ４３と、横ブラックストライプ４４と、対向電極１７の黒色層１７ａとを形成する。対向電極１７の黒色層１７ａは、透明電極１５と金属電極層１７ｂの間に配置されるようにして形成する。
【００９８】
縦ブラックストライプ４３と、横ブラックストライプ４４と、黒色層１７ａとは、それぞれ、例えば以下のようにして形成することができる。まず、感光性の黒色材料からなる黒色ペーストをスクリーン印刷法等により成膜する。次に、所望のパターンを有するフォトマスクを介して紫外光を照射して光吸収層のパターンを形成する。最後に、６００℃程度の温度で焼成してペースト中の有機成分を除去する。この場合、縦ブラックストライプ４３と、横ブラックストライプ４４とは非導電性の材料を用い、黒色層１７ａは同じ導電性のある材料を用いる。
【００９９】
そして、それら透明電極１５と、縦ブラックストライプ４３と、横ブラックストライプ４４と、黒色層１７ａと、金属電極層１７ｂとを覆うように誘電体層１２を設け、さらにその上を覆うように保護層１１を設ける。
【０１００】
ここで、縦ブラックストライプ４３は、縦隔壁２５ａの真上に配置されることが望ましい。また、横ブラックストライプ４４は、横隔壁２５ｂの真上に配置されることが望ましい。しかし、上述のように、前面板１０ｂと背面板２０を貼り合せる時にそれぞれの基板の寸法がわずかに異なり、ブラックマトリックスの位置ずれが生じる。
【０１０１】
通常、ブラックマトリックスの縦ブラックストライプおよび横ブラックストライプは、それぞれ縦隔壁２５ａの幅および横隔壁２５ｂの幅に合わせた均等な幅を有するストライプから構成される。そのため、長手方向に前面板１０ｂの位置ずれが生じると、位置ずれが生じた分だけ蛍光体層２４が塗布された発光部を覆う。
【０１０２】
本実施の形態では、ブラックマトリックスの形状を工夫して、ブラックマトリックスの位置ずれが生じても、輝度低下を少なく、かつ光吸収層が外光反射を低減して表示画像のコントラストを改善することができるプラズマディスプレイパネルを提供する。
【０１０３】
次に、縦ブラックストライプ４３が、長手方向にずれる場合の作用・効果について説明する。なお、横ブラックストライプ４４が縦方にずれる場合の作用・効果は、縦ブラックストライプ４３と同じ原理による。
【０１０４】
図９は、背面板２０の縦隔壁２５ａと、背面板２０の横隔壁２５ｂと、前面板１０ｂの透明電極１５と、対向電極１７と、縦ブラックストライプ４３と、横ブラックストライプ４４との位置関係を示した正面概略図である。
【０１０５】
前面板１０ｂは、映像表示面の短手方向と平行な第１方向の隔壁に各々対応して隔壁の前面板側に並列配置された第１ブラックストライプを有する。具体的には、前面板１０ｂは、短手方向の縦隔壁２５ａに各々対応して並列配置された短手方向の縦ブラックストライプ４３を有する。ここで、第１方向は、映像表示面の短手方向であり、第１ブラックストライプは、縦ブラックストライプ４３に相当する。なお、前面板１０ｂの短手方向と、映像表示面の短手方向とは一致し、前面板１０ｂの長手方向と、映像表示面の長手方向とは一致する。
【０１０６】
さらに、第１ブラックストライプ各々は、第１方向の隔壁の両側に位置するセル上にその一部が交互にはみ出る曲線で形成され、前面板１０ｂに配置される。具体的には、縦ブラックストライプ４３は、短手方向の縦隔壁２５ａから放電セル上に長手方向に交互にはみ出る曲線で形成される。具体的には、この曲線は、長手方向には左右に蛇行している。なお、縦ブラックストライプ４３がはみ出る範囲は、輝度低下が少なく、かつ光吸収層が外光反射を低減するために、１つの放電セルに対応する縦隔壁２５ａの左右方向にそれぞれ均等に配置されていることが望ましい。
【０１０７】
ここで、短手方向とは、縦隔壁２５ａの長さ方向であり、長手方向とは、横隔壁２５ｂの長さ方向である。また、縦ブラックストライプ４３は、例えば、図９に示す放電セル上にはみ出る曲がり部を有し、長手方向に同じ形状が繰り返し配置されている。曲がり部は、１つの放電セルの縦隔壁２５ａに対して、左右にそれぞれ少なくとも１つある。そして、曲がり部は、縦隔壁２５ａから発光部側にはみ出している。ここで、このパターンの曲がり部の縦隔壁２５ａからのずれ量（はみ出し量）の長手方向の最大値を、例えば、縦隔壁２５ａの幅の１／４にする。
【０１０８】
図９に示す例では、放電セル毎に異なるパターンが短手方向に配置されている。１つの放電セルに配置するパターンの曲がり部の数は任意であるが、１つの放電セルに対して、１以上の曲がり部を配置する。
【０１０９】
本実施の形態では、縦隔壁２５ａの中心線上に蛇行する縦ブラックストライプ４３の中心線が配置された状態で、ずれ量分の縦ブラックストライプ４３が発光部に入り込んでいるとする。ここで、例えば、前面板１０ｂの配置が左方向に隔壁２５の幅の１／４ずれた場合に、放電セルの右側では縦ブラックストライプ４３が発光部に入り込む。しかし、放電セルの左側では発光部から縦ブラックストライプ４３が退くため、縦ブラックストライプ４３の面積は、従来のストレートタイプのブラックマトリックスを短手方向に同じ長さで配置した場合と比べて、発光部に入り込む縦ブラックストライプ４３の面積は減少する。そのため、本実施の形態では、背面板の隔壁と前面板の光吸収層の位置ずれが生じても、輝度低下が少なくなる。
【０１１０】
また、例えば、前面板１０ｂの配置が左方向に隔壁２５の幅の１／４ずれた場合に、放電セルの左側および右側で、縦隔壁２５ａの一部が露出される。そのため、放電セルの右側および左側では縦隔壁２５ａが露出される面積は、従来のストレートタイプのブラックマトリックスを短手方向に同じ長さで配置した場合と比べて、減少する。そのため、本実施の形態では、背面板の隔壁と前面板の光吸収層の位置ずれが生じても、光吸収層が外光反射を低減して表示画像のコントラストを改善することができる。
【０１１１】
また、前面板１０ｂは、映像表示面の長手方向と平行な第２方向の前記隔壁に各々対応して前記隔壁の前記前面板側に並列配置された第２ブラックストライプを有する。具体的には、前面板１０ｂは、長手方向の横隔壁２５ｂに各々対応して並列配置された長手方向の横ブラックストライプ４４を有する。ここで、第２方向は、映像表示面の長手方向であり、第２ブラックストライプは、横ブラックストライプ４４に相当する。なお、前面板１０ｂの短手方向と、映像表示面の短手方向とは一致し、前面板１０ｂの長手方向と、映像表示面の長手方向とは一致する。
【０１１２】
さらに、第２ブラックストライプ各々は、第２方向の隔壁の両側に位置するセル上にその一部が交互にはみ出る曲線で形成され、前面板に配置される。具体的には、横ブラックストライプ４４は、長手方向の横隔壁２５ｂから放電セル上に短手方向に交互にはみ出る曲線で形成される。具体的には、この曲線は、短手方向には上下に蛇行している。なお、横ブラックストライプ４４がはみ出る範囲は、輝度低下が少なく、かつ光吸収層が外光反射を低減するために、１つの放電セルに対応する横隔壁２５ｂの上下方向にそれぞれ均等に配置されていることが望ましい。
【０１１３】
ここで、短手方向とは、縦隔壁２５ａの長さ方向であり、長手方向とは、横隔壁２５ｂの長さ方向である。また、横ブラックストライプ４４は、例えば、図９に示す放電セル上にはみ出る曲がり部を有し、短手方向に同じ形状が繰り返し配置されている。曲がり部は、１つの放電セルの横隔壁２５ｂに対して、少なくとも１つある。そして、曲がり部は、横隔壁２５ｂから発光部側にはみ出している。ここで、この曲がり部の横隔壁からのずれ量（はみ出し量）の短手方向の最大値を、例えば、横隔壁２５ａの幅の１／４にする。
【０１１４】
図９に示す例では、放電セル毎に異なるパターンが長手方向に配置されている。１つの放電セルに配置するパターンの曲がり部の数は任意であるが、１つの放電セルに対して、１以上の曲がり部を配置する。
【０１１５】
本実施の形態では、横隔壁２５ｂの中心線上に蛇行する横ブラックストライプ４４の中心線が配置された状態で、ずれ量分の横ブラックストライプ４４が発光部に入り込んでいるとする。ここで、例えば、前面板１０ｂの配置が下方向に隔壁２５の幅の１／４ずれた場合に、放電セルの上側では発光部に横ブラックストライプ４４が入り込む。しかし、放電セルの下側では発光部から横ブラックストライプ４４が退くため、横ブラックストライプ４３の面積は、従来のストレートタイプのブラックマトリックスを長手方向に同じ長さで配置した場合と比べて、発光部に入り込む横ブラックストライプ４４の面積は減少する。そのため、本実施の形態では、背面板の隔壁と前面板の光吸収層の位置ずれが生じても、輝度低下が少なくなる。
【０１１６】
また、例えば、前面板１０ｂの配置が下方向に隔壁２５の幅の１／４ずれた場合に、放電セルの上側および下側で、横隔壁２５ｂの一部が露出される。そのため、放電セルの上側および下側では横隔壁２５ｂが露出される面積は、従来のストレートタイプのブラックマトリックスを長手方向に同じ長さで配置した場合と比べて、減少する。そのため、本実施の形態では、背面板の隔壁と前面板の光吸収層の位置ずれが生じても、光吸収層が外光反射を低減して表示画像のコントラストを改善することができる。
【０１１７】
上述した前面板１０ｂと背面板２０とは、対向電極１７とアドレス電極２３とが直交するように、かつ縦隔壁２５ａ上に縦ブラックストライプ４３が配置され、横隔壁２５ｂ上に横ブラックストライプ４４が配置されるようにして、微小な放電空間を挟んで対向配置されている。そして、その外周部がガラスフリット（図示せず）と呼ばれる封着材によって気密封着されている。
【０１１８】
このように構成されたプラズマディスプレイパネル１ｂにおいて、放電セルの一対の対向電極１７にパルス状ＡＣ電圧が印加されると、表示放電が起こり、紫外線が発生する。発生した紫外線は、背面板に形成された蛍光体層２４の蛍光体を励起して可視光（表示光）を発生させ、映像光として観察者側に出射する。
【０１１９】
このように、本実施の形態のプラズマディスプレイパネルによれば、背面板の隔壁と前面板の光吸収層の位置ずれが生じても、縦ブラックストライプは、短手方向の縦隔壁から放電セル上に長手方向に交互にはみ出る曲線で形成され、横ブラックストライプは、長手方向の横隔壁から放電セル上に短手方向に交互にはみ出る曲線で形成されるため、輝度低下が少なく、かつ光吸収層が外光反射を低減して表示画像のコントラストを改善することができるプラズマディスプレイパネルを提供することができる。
【０１２０】
（比較例）
次に、実施の形態１から実施の形態３に対する比較例について説明する。図１０は、比較例に係るプラズマディスプレイパネルの構成を示す斜視図である。なお、図１０において、図１ａと同じ構成要素については同じ符号を付し、説明を省略する。
【０１２１】
本比較例では、実施の形態１から実施の形態３におけるブラックマトリックスと異なり、従来のストレートタイプのブラックストライプを配置した構成としている。
【０１２２】
図１１は、図１０のＤ部の拡大図を示す。比較例の対向電極１７は、導電性の黒色層１７ａと金属電極層１７ｂとからなる２層構造である。金属電極層１７ｂは、放電空間側を例えば銀などの導電性の高い金属材料から形成されている。これにより、対向電極１７の導電性を高めるとともに、光を反射しやすい金属電極層１７ｂが表示面側から見えないようにしている。
【０１２３】
なお、図１２は、背面板２０の隔壁と、前面板１０ｃの透明電極１５と、対向電極１７と、縦ブラックストライプ５３と、横ブラックストライプ５４との位置関係を示した比較例の正面概略図である。なお、縦隔壁２５ａは縦ブラックストライプ５３の下に配置され、横隔壁２５ｂは横ブラックストライプ５４の下に配置されている。
【０１２４】
前面板１０と、前面板１０ａと、前面板１０ｂと、前面板１０ｃとを有するプラズマディスプレイパネルをそれぞれ作製した。そして、縦ブラックストライプの縦隔壁に対する長手方向のずれ量を、０μｍ、１０μｍ、２０μｍに設定して、それぞれのパネル毎に明所コントラストを測定して比較した。
【０１２５】
外部からの光の入射が遮蔽された実験室内に、各プラズマディスプレイパネルに同じ駆動回路を取り付けて発光させ、明所コントラストの測定を行った。また、実験室の天井には、照明器具が配置されており、照明器具を点灯したとき、表示画面上の外光照度は１００ルクスであった。そして、プラズマディスプレイパネルの表示画面が全面黒一色の場合と全面白一色の場合とについて、輝度を測定し、両者の比を求め、求められた比を明所コントラストとした。
【０１２６】
図１３は、比較例と、実施の形態１から実施の形態３とのコントラストの比較を示す図である。比較例の位置ずれが０μｍのときのコントラストを１として、グラフにおいて比較した。位置ずれ量が０μｍのときは、実施の形態１から実施の形態３より比較例のコントラストが高くなった。
【０１２７】
しかし、位置ずれ量が大きくなると比較例のコントラストは大きく変動して低くなる。これに対して、実施の形態１から実施の形態３の場合は、比較例と比べてコントラストの変動が小さい。このため、縦ブラックストライプが背面板の縦隔壁と長手方向に位置ずれが生じても、輝度の変動が少なく、結果としてコントラストの変動が少ないプラズマディスプレイパネルを提供することができる。
【０１２８】
なお、図１３においては、背面板と前面板が長手方向にずれた場合の比較で説明したが、短手方向にずれた場合も同様の効果がある。また、長手方向と短手方向にそれぞれずれた場合においても実施の形態１から本実施の形態３の構成により、比較例よりコントラストの変動が少ないプラズマディスプレイを提供することができる。
【産業上の利用可能性】
【０１２９】
本発明に係るプラズマディスプレイパネルは、背面板の隔壁と前面板の光吸収層の位置ずれが生じても、輝度低下が少なく、かつ光吸収層が外光反射を低減して表示画像のコントラストを改善することができるプラズマディスプレイパネとして有用である。すなわち、本発明は、コントラストが高く明るい画像の表示が要望されるＴＶ受像機や情報端末ディスプレイ等に好適である。
【図面の簡単な説明】
【０１３０】
【図１ａ】実施の形態１に係るプラズマディスプレイパネルの構成を示す斜視図
【図１ｂ】実施の形態１におけるプラズマディスプレイパネルの前面基板を省いて構成を示す斜視図
【図２】実施の形態１における図１のＡ部の拡大図
【図３】実施の形態１におけるプラズマディスプレイパネルのブラックマトリクスと隔壁の位置関係を示した正面概略図
【図４】実施の形態２におけるプラズマディスプレイパネルの構成を示す斜視図
【図５】図４におけるＢ部の拡大図
【図６】実施の形態２におけるプラズマディスプレイパネルのブラックマトリクスと隔壁の位置関係を示した正面概略図
【図７】実施の形態３におけるプラズマディスプレイパネルの構成を示す斜視図
【図８】図７におけるＣ部の拡大図
【図９】実施の形態３におけるプラズマディスプレイパネルのブラックマトリクスと隔壁の位置関係を示した正面概略図
【図１０】比較例におけるプラズマディスプレイパネルの構成を示す斜視図
【図１１】図１０におけるＤ部の拡大図
【図１２】比較例におけるプラズマディスプレイパネルのブラックマトリクスと隔壁の位置関係を示した正面概略図
【図１３】実施の形態１から実施の形態３におけるプラズマディスプレイパネルと比較例のコントラストの比較図
【符号の説明】
【０１３１】
１０、１０ａ、１０ｂ  前面板
１１  保護層
１２  誘電体層
１３、３３、４３、５３  縦ブラックストライプ
１４、４４、５４  横ブラックストライプ
１５  透明電極
１６  前面基板
１７  対向電極
１７ａ  黒色層
１７ｂ  金属電極層
２０  背面板
２１  背面基板
２２  誘電体層
２３  アドレス電極
２４  蛍光体層
２５  隔壁
２５ａ  縦隔壁
２５ｂ  横隔壁
【図１ａ】
2009193945.tif 000003
【図１ｂ】
2009193945.tif 000004
【図２】
2009193945.tif 000005
【図３】
2009193945.tif 000006
【図４】
2009193945.tif 000007
【図５】
2009193945.tif 000008
【図６】
2009193945.tif 000009
【図７】
2009193945.tif 000010
【図８】
2009193945.tif 000011
【図９】
2009193945.tif 000012
【図１０】
2009193945.tif 000013
【図１１】
2009193945.tif 000014
【図１２】
2009193945.tif 000015
【図１３】
2009193945.tif 000016